【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
以下：
（ａ）天然ゴム；
（ｂ）エチレン酢酸ビニル（ＥＶＡ）コポリマー；
（ｃ）アゾジカルボンアミド（ＡＣ）；
（ｄ）ポリマー性接着改変剤；
（ｅ）ジクミルペルオキシド；ならびに
（ｆ）酸化亜鉛とステアリン酸との組合せ：
から形成される、フォームクッション。
【請求項２】
請求項１に記載のフォームクッションであって、ここで前記天然ゴム（ＮＲ）が、Ｈｅｖｅａ  ｂｒａｓｉｌｉｅｎｓｉｓの木、グアユールゴムノキの低木Ｐａｒｔｈｅｎｏｉｍ
ａｒｇｅｎｔａｔｕｍ、Ｓａｐｏｔａｃｅａｅの木、またはそれらの組合せから得られる、フォームクッション。
【請求項３】
前記天然ゴム（ＮＲ）がラテックスグレードである、請求項１に記載のフォームクッション。
【請求項４】
前記ラテックスグレードが、リブドスモークドシート（ＲＳＳ）、ホワイトクレープおよびペールクレープ、純粋ブランケットクレープ、またはそれらの組合せである、請求項３に記載のフォームクッション。
【請求項５】
前記天然ゴム（ＮＲ）がリミルドグレードである、請求項１に記載のフォームクッション。
【請求項６】
請求項５に記載のフォームクッションであって、ここで前記リミルドグレードが、エステートブラウンクレープ、エステートコンポクレープ、薄手ブラウンクレープもしくはリミル、厚手ブラウンクレープもしくはアンバー、フラットバーククレープ、またはそれらの組合せである、フォームクッション。
【請求項７】
請求項１に記載のフォームクッションであって、ここで前記天然ゴム（ＮＲ）が、技術的格付け天然ゴム（ＴＳＲ）、上質加工天然ゴム（ＳＰ）、技術的に分類された天然ゴム（ＴＣ）、風乾シート天然ゴム（ＡＤＳ）、スキン天然ゴム、除タンパク処理された天然ゴム（ＤＰＮＲ）、油展天然ゴム（ＯＥＮＲ）、パラゴムノキを添加したＭＧ天然ゴム、エポキシ化天然ゴム、またはそれらの組合せである、フォームクッション。
【請求項８】
前記天然ゴム（ＮＲ）がシス−ポリイソプレンを含む、請求項１に記載のフォームクッション。
【請求項９】
前記天然ゴム（ＮＲ）がトランス−ポリイソプレンを含む、請求項１に記載のフォームクッション。
【請求項１０】
前記天然ゴム（ＮＲ）がシス−ポリイソプレンとトランス−ポリイソプレンとの混合物を含む、請求項１に記載のフォームクッション。
【請求項１１】
前記天然ゴム（ＮＲ）が約９３重量％〜約９５重量％のポリイソプレンを含む、請求項１に記載のフォームクッション。
【請求項１２】
前記ゴムがフォームクッションの約８０重量％まで使用される、請求項１に記載のフォームクッション。
【請求項１３】
前記天然ゴムがフォームクッションの約５重量％〜約１２重量％で使用される、請求項１に記載のフォームクッション。
【請求項１４】
前記ゴムがフォームクッションの約７重量％〜約９重量％で使用される、請求項１に記載のフォームクッション。
【請求項１５】
前記エチレン酢酸ビニル（ＥＶＡ）コポリマーが約１５重量％〜約７５重量％の酢酸ビニルを含む、請求項１に記載のフォームクッション。
【請求項１６】
前記エチレン酢酸ビニル（ＥＶＡ）がフォームクッションの約９５重量％まで使用される、請求項１に記載のフォームクッション。
【請求項１７】
前記エチレン酢酸ビニル（ＥＶＡ）がフォームクッションの約７９重量％〜約８３重量％で使用される、請求項１に記載のフォームクッション。
【請求項１８】
前記エチレン酢酸ビニル（ＥＶＡ）がフォームクッションの約８０．５重量％〜約８２．５重量％で使用される、請求項１に記載のフォームクッション。
【請求項１９】
前記アゾジカルボンアミド（ＡＣ）がフォームクッションの約０．１重量％〜約１０重量％で使用される、請求項１に記載のフォームクッション。
【請求項２０】
前記アゾジカルボンアミド（ＡＣ）がフォームクッションの約３重量％〜約４．２重量％で使用される、請求項１に記載のフォームクッション。
【請求項２１】
前記アゾジカルボンアミド（ＡＣ）がフォームクッションの約３．５重量％〜約４．０重量％で使用される、請求項１に記載のフォームクッション。
【請求項２２】
請求項１に記載のフォームクッションであって、ここで前記ポリマー性接着改変剤が、無水グラフトポリオレフィン樹脂、スチレン無水マレイン酸（ＳＭＡ）コポリマー、またはそれらの組合せである、フォームクッション。
【請求項２３】
前記ポリマー性接着改変剤が無水マレイン酸グラフト化ポリオレフィン樹脂を含む、請求項１に記載のフォームクッション。
【請求項２４】
請求項１に記載のフォームクッションであって、ここで前記ポリマー性接着改変剤が、無水グラフトポリオレフィン樹脂であって、前記ポリオレフィンが、ポリエチレン、ポリプロピレン、ＥＰＤＭ、エチレン酢酸ビニル（ＥＶＡ）、それらのコポリマー、またはそれらの組合せである、フォームクッション。
【請求項２５】
請求項１に記載のフォームクッションであって、ここでポリマー性接着改変剤が、改変されたエチレンアクリラート一酸化炭素ターポリマー、エチレン酢酸ビニル（ＥＶＡ）、ポリエチレン、メタロセンポリエチレン、エチレンプロピレンゴム、ポリプロピレン、またはそれらの組合せを含む、フォームクッション。
【請求項２６】
前記ポリマー性接着改変剤がフォームクッションの約０．５重量％〜約１５．０重量％で使用される、請求項１に記載のフォームクッション。
【請求項２７】
前記ポリマー性接着改変剤がフォームクッションの約２．８重量％〜約３．９重量％で使用される、請求項１に記載のフォームクッション。
【請求項２８】
前記ポリマー性接着改変剤がフォームクッションの約３．０重量％〜約３．５重量％で使用される、請求項１に記載のフォームクッション。
【請求項２９】
前記酸化亜鉛とステアリン酸は、フォームクッションの約２５重量％まで使用される、請求項１に記載のフォームクッション。
【請求項３０】
前記酸化亜鉛とステアリン酸がフォームクッションの約１．５重量％〜約１３．５重量％で使用される、請求項１に記載のフォームクッション。
【請求項３１】
前記酸化亜鉛とステアリン酸がフォームクッションの約２．０重量％〜約１３．０重量％で使用される、請求項１に記載のフォームクッション。
【請求項３２】
請求項１に記載のフォームクッションであって、硬化遅延剤、強化剤、充填剤、エキステンダー、可塑剤、加硫剤、酸化防止剤、難燃剤、加硫促進剤、着色料、導電性物質、および安定剤の少なくとも１つをさらに含む、フォームクッション。
【請求項３３】
以下：
（ａ）フォームクッションの約５重量％〜約１２重量％で使用される天然ゴム；
（ｂ）フォームクッションの約７９重量％〜約８３重量％で使用されるエチレン酢酸ビニル（ＥＶＡ）コポリマー；
（ｃ）フォームクッションの約３重量％〜約４．２重量％で使用されるアゾジカルボンアミド（ＡＣ）；
（ｄ）フォームクッションの約２．８重量％〜約３．９重量％で使用されるポリマー性接着改変剤；
（ｅ）フォームクッションの約０．５重量％〜約０．９重量％で使用されるジクミルペルオキシド；ならびに
（ｆ）酸化亜鉛とステアリン酸との組合せであり、ここで該酸化亜鉛はフォームクッションの約１．０重量％〜約２．２重量％で使用され、そして該ステアリン酸はフォームクッションの約０．５重量％〜約１．２５重量％で使用される、それらの組合せ：
から形成される、フォームクッション。
【請求項３４】
請求項３３に記載のフォームクッションであって、硬化遅延剤、強化剤、充填剤、エキステンダー、可塑剤、加硫剤、酸化防止剤、難燃剤、加硫促進剤、着色料、導電性物質、および安定剤の少なくとも１つをさらに含む、フォームクッション。